(57)【要約】【課題】複数の異なる患者の医用画像を同時に処理し得る医用画像管理装置を提供する。【解決手段】医用画像管理装置４において、複数の異なる患者情報及び当該患者情報に対応する医用画像を記憶する記憶部４２と、記憶された患者情報及び医用画像を表示する表示部４３と、記憶された医用画像のうち、互いに異なる患者情報に対応する医用画像を表示部４３に同時に表示させる制御部４１と、を備える医用画像管理装置４とする。【選択図】図２
2009189550.tif 000002
【特許請求の範囲】
【請求項１】
医用画像管理装置において、
複数の患者情報及び当該患者情報に対応する複数の医用画像を記憶する記憶手段と、
前記記憶された患者情報及び医用画像を表示する表示手段と、
前記記憶された複数の医用画像のうち、互いに異なる前記患者情報に対応する複数の医用画像を前記表示手段に同時に表示させる制御手段と、
を備える医用画像管理装置。
【請求項２】
前記医用画像管理装置は、小規模医療施設において設置される請求項１に記載の医用画像管理装置。
【請求項３】
前記患者情報に対応する医用画像を外部に送信する通信手段を備え、
前記制御手段は、互いに異なる前記患者情報に対応する複数の医用画像を前記通信手段により同時に送信させる請求項１又は２に記載の医用画像管理装置。
【請求項４】
前記患者情報に対応する医用画像を記録媒体に書き込む書込手段を備え、
前記制御手段は、互いに異なる前記患者情報に対応する複数の医用画像を前記書込手段により同一の前記記録媒体に書き込ませる請求項１〜３の何れか一項に記載の医用画像管理装置。
【請求項５】
互いに異なる前記患者情報に対応する複数の医用画像を同時に処理する指示、又は別々に処理する指示を前記制御手段に出力するための操作手段を備え、
前記制御手段は、前記操作手段から出力された同時に処理する指示に従って、互いに異なる前記患者情報に対応する複数の医用画像を前記表示手段に同時に表示させ、前記通信手段により同時に送信させ、又は前記書込手段により同一の前記記録媒体に書き込ませる請求項１〜４の何れか一項に記載の医用画像管理装置。
【発明の詳細な説明】
【技術分野】
【０００１】
本発明は、医用画像管理装置に関する。
【背景技術】
【０００２】
近年、医療施設において医用画像システムが普及している。
医用画像システムとは、医用画像の生成、画像処理及び閲覧表示等、画像診断に関する一連のフローを所定の通信方式により可能とするシステムをいう。なお、所定の通信方式には、例えばＤＩＣＯＭ（Digital Image and Communications in Medicine）等がある。
【０００３】
上記医用画像システムにおける一連のフローは次の通りである。
まず、ＣＲ（Computed Radiography）装置等のモダリティにより医用画像が生成される。生成された医用画像の全部又は一部は、ＰＡＣＳ（Picture Archiving and Communication System for medical application）等の画像サーバに保存され、或いは画像処理の可能な専用機器に送信される。
【０００４】
画像処理の可能な専用機器に送信された医用画像は、階調処理等の画像処理が施され、汎用モニタ等に送信される。
【０００５】
そして、汎用のモニタ等により医用画像が閲覧可能に表示される。表示された医用画像は医師による診断に供され、又はＤＶＤ等のメディアに書き込まれることとなる。
このような医用画像システムについては、例えば特許文献１に開示されている。
【０００６】
特許文献１は、開業医やクリニック等の比較的小規模な医療施設（以下、「小規模医療施設」という）において、医師が診察を行いつつ、効率的に患者の医用画像とその患者の患者情報とを対応付けることが可能である医用画像システムが開示されている。
【特許文献１】特開２００７−３３０５９２号公報
【発明の開示】
【発明が解決しようとする課題】
【０００７】
ここで、従来の医用画像システムでは、患者の医用画像を閲覧表示する際、同時に表示できる医用画像は同一患者のものに限られていた。誤診防止のためである。このことから、医師は汎用モニタ上で、複数の異なる患者の医用画像を同時に閲覧することはできず、患者ごとに診断等を行う必要があった。
また、医用画像をメディアに書き込む場合や、印刷のために医用画像をプリンターに送信する場合でも、患者ごとに処理する必要があった。
【０００８】
しかし、一日の患者数が少ない小規模医療施設において、患者の医用画像を取り違えることは考え難い。よって、医用画像を表示し、メディアに書き込み、又はプリンターに送信する等の各処理を患者ごとに行うことは、却って非効率となる場合が多い。
【０００９】
本発明の目的は、互いに異なる患者の医用画像を同時に処理し得る医用画像管理装置を提供することである。
【課題を解決するための手段】
【００１０】
請求項１に記載の発明によれば、
医用画像管理装置において、
複数の患者情報及び当該患者情報に対応する複数の医用画像を記憶する記憶手段と、
前記記憶された患者情報及び医用画像を表示する表示手段と、
前記記憶された複数の医用画像のうち、互いに異なる前記患者情報に対応する複数の医用画像を前記表示手段に同時に表示させる制御手段と、
を備える医用画像管理装置が提供される。
【００１１】
請求項２に記載の発明によれば、請求項１に記載の発明において、
前記医用画像管理装置は、小規模医療施設において設置される医用画像管理装置が提供される。
【００１２】
請求項３に記載の発明によれば、請求項１又は２に記載の発明において、
前記患者情報に対応する医用画像を外部に送信する通信手段を備え、
前記制御手段は、互いに異なる前記患者情報に対応する複数の医用画像を前記通信手段により同時に送信させる医用画像管理装置が提供される。
【００１３】
請求項４に記載の発明によれば、請求項１〜３の何れか一項に記載の発明において、
前記患者情報に対応する医用画像を記録媒体に書き込む書込手段を備え、
前記制御手段は、互いに異なる前記患者情報に対応する複数の医用画像を前記書込手段により同一の前記記録媒体に書き込ませる医用画像管理装置が提供される。
【００１４】
請求項５に記載の発明によれば、請求項１〜４の何れか一項に記載の発明において、
互いに異なる前記患者情報に対応する複数の医用画像を同時に処理する指示、又は別々に処理する指示を前記制御手段に出力するための操作手段を備え、
前記制御手段は、前記操作手段から出力された同時に処理する指示に従って、互いに異なる前記患者情報に対応する複数の医用画像を前記表示手段に同時に表示させ、前記通信手段により同時に送信させ、又は前記書込手段により同一の前記記録媒体に書き込ませる医用画像管理装置が提供される。
【発明の効果】
【００１５】
本発明によれば、互いに異なる患者の医用画像を同時に画面上に表示することができる。これにより、医師は画像診断を効率的に行うことができ、早期診断を図ることができる。
【発明を実施するための最良の形態】
【００１６】
以下、本発明に係る医用画像管理装置について最適な実施形態の構成及び動作について、図面を用いて詳細に説明する。
【００１７】
まず、図１に、本実施形態における医用画像システム１００の構成を示す。
なお、医用画像システム１００は、開業医やクリニック等の小規模医療施設に適用可能なシステムである。
【００１８】
医用画像システム１００は、受付装置１、モダリティ２、検査装置３、医用画像管理装置４を備えて構成されており、これらはネットワークＮに接続されている。
【００１９】
ネットワークＮは、医用関連の通信方式によりデータの通信を行う。通信方式には、例えばＤＩＣＯＭ、ＤＩＣＯＭ／ＭＷＭ（Modality Worklist Management）、ＤＩＣＯＭ／ＭＰＰＳ（Modality Performed Procedure Step）等が用いられる。
【００２０】
受付装置１は、汎用のＰＣ（Personal Computer）を用いることができ、基本的な内部構成は、例えば制御部、記憶部、通信部等から構成される（図示省略）。
【００２１】
また、受付装置１は、ネットワークＮを介して各装置と通信可能に接続され、患者情報をモダリティ２に出力する。
患者情報とは、例えば受付番号、患者ＩＤ、患者の氏名等の情報であって、患者を識別するための情報である。患者情報は、受付装置１の入力部（図示省略）を介して入力される。
【００２２】
モダリティ２は、超音波診断装置２ａ、内視鏡装置２ｂ、ＣＲ装置２ｃ等を備えて構成される。なお、モダリティ２としては、上記のものに限られず、例えばＭＲＩ（Magnetic Resonance Imaging）装置やＣＴ（Computed Tomography）装置等を含む。
【００２３】
モダリティ２は、受付装置１から出力された患者情報を受信し、受信した患者情報に対応した医用画像を生成する。そして、患者情報及び患者情報に対応する医用画像を医用画像管理装置４に出力する。
なお、モダリティ２は、入力部（図示省略）を備え、入力部を介して患者情報を生成することができる。そして、モダリティ２は、生成した患者情報を医用画像に対応付けて医用画像管理装置４に出力することも可能である。
【００２４】
検査装置３は、心電波検出装置やバイタルセンサ、集音器等であり、画像診断以外の診断に必要な情報を取得する。
検査装置３は、取得した情報（波形データ、バイタルデータ、生体音データ等）を医用画像管理装置４に出力する。
【００２５】
医用画像管理装置４は、各装置とネットワークＮを介して通信可能に接続され、例えばモダリティ２から出力された患者の医用画像等を記憶し、又は閲覧可能に表示する。
以下、図２を参照して医用画像管理装置４の各部の機能について説明する。
【００２６】
図２に、医用画像管理装置４の内部構成の一例を示す。
医用画像管理装置４は、制御部４１、記憶部４２、表示部４３、操作部４４、通信部４５、Ｉ／Ｆ部４６、ＣＤ／ＤＶＤドライブ４７等を備えて構成される。
【００２７】
制御部４１は、記憶部４２に記憶されている各種プログラムとの協働により、各部を集中制御する。
【００２８】
また、制御部４１は、患者の患者情報及び患者情報に対応付けられた医用画像を記憶部４２に記憶させ、必要に応じてこれらを読み出して表示部４３に表示させる。
【００２９】
記憶部４２は、ＨＤＤ（Hard Disk Drive）や半導体の不揮発性メモリ等を備えて構成される。記憶部４２は、上述のように各種プログラムを記憶するほか、医用画像を診断に適した画質に調整するための画像処理パラメータ等を記憶する。
【００３０】
表示部４３は、ＣＲＴ（Cathode Ray Tube）又はＬＣＤ（Liquid Crystal Display）等のモニタを備えて構成される。表示部４３は、制御部３１から出力される指示信号を受信して、受信した指示信号に基づく各種画面を表示する。
【００３１】
操作部４４は、カーソルキーや数字入力キー、各種機能キー等を備えたキーボードと、マウス等のポインティングデバイス等を備えて構成される。操作部４４は、ユーザにより任意のキーが押下されると操作信号を生成し、生成した操作信号を制御部４１に出力する。制御部４１は、操作信号を受信して、受信した操作信号に応じた各種処理を実行することとなる。操作信号に応じた各種処理には、例えば表示部４３に医用画像を表示させる処理が含まれる。
【００３２】
通信部４５は、ネットワークインターフェース等を備えて構成される。通信部４５は、スイッチングハブを介して、ネットワークＮに接続された各装置とデータの送受信を行う。
【００３３】
Ｉ／Ｆ部４６は、ＣＤ／ＤＶＤドライブ４７に接続され、インターフェースとしてＣＤ／ＤＶＤドライブ４７とデータの入出力を行う。
【００３４】
ＣＤ／ＤＶＤドライブ４７は、ＣＤ、ＤＶＤ等の記録媒体（メディア）を着脱可能に構成され、装着されたメディアにデータを書き込み、又はメディアからデータを読み取る処理を行う。なお、書き込み又は読み取り可能なメディアはＣＤ、ＤＶＤに限定されず、例えばＭＯ等であってもよい。
以上が医用画像システム１００及び医用画像管理装置４の基本的構成である。
【００３５】
次に、図３を参照して、医用画像管理装置４の表示切替処理について説明する。
なお、以下に説明する医用画像管理装置４の表示切替処理は、制御部４１が記憶部４２に記憶されている各種プログラムとの協働により実行される。
【００３６】
制御部４１は、操作部４４から出力される操作信号を受信すると、受信した操作信号に閲覧画面を表示部４３に表示する指示が含まれるか否か判断する（ステップＳ１）。
【００３７】
操作信号に閲覧画面を表示する指示が含まれる場合（ステップＳ１；ＹＥＳ）、制御部４１は、閲覧画面を表示部４３に表示させる（ステップＳ２）。
閲覧画面には検索モードと一括出力モードの２つの表示形態があり、制御部４１はデフォルト画面として予め定められたモードで閲覧画面を表示部４３に表示させる。
【００３８】
本実施形態では、デフォルト画面として検索モードが予め定められている場合について説明する。閲覧画面を表示する指示を受けた制御部４１は、ステップＳ２において、検索モードによる閲覧画面を表示部４３に表示させる。
【００３９】
ここで、検索モードとは、同一患者の医用画像を表示部４３に表示させる表示形態をいう。また、一括出力モードとは、互いに異なる複数の患者の医用画像を表示部４３に同時に表示させ得る表示形態をいうものとする。
【００４０】
また、制御部４１は、何れの表示形態であっても、複数の患者情報を記憶部４２から読み出して、表示部４３にリスト表示する。
検索モード及び一括出力モードでの閲覧画面については図５、６において後述する。
【００４１】
制御部４１は、検索モードでの閲覧画面において、リスト表示された患者情報のうち、ある一人の患者情報を排他的に識別して表示部４３に表示させる。
【００４２】
例えば、患者情報としてＡ、Ｂ、Ｃが閲覧画面上にリスト表示されている場合、操作部４４を介してＡが選択されるとＡのみをＢ、Ｃと識別して表示部４３に表示させる。また、続けてＢが選択された場合、Ａの識別表示を解除してＢのみをＡ、Ｃと識別して表示部４３に表示させる。
【００４３】
つまり、検索モードでの閲覧画面において、制御部４１は、複数の患者情報を選択させずに１の患者情報のみを識別表示して選択可能に表示部４３に表示させる。
【００４４】
制御部４１は、閲覧画面を一括出力モードに切り替える操作信号を受信すると（ステップＳ３；ＹＥＳ）、一括出力モードに切り替えた閲覧画面を表示部４３に表示させる（ステップＳ４）。
【００４５】
制御部４１は、一括出力モードでの閲覧画面において、リスト表示された患者情報のうち、一又は複数の患者情報を識別して表示部４３に表示させる。
【００４６】
一括出力モードでの閲覧画面において、制御部４１は、複数の患者情報を選択可能に表示させ、選択された複数の患者情報に対応する医用画像を同時に表示部４３に表示させる。その他、制御部４１は、選択された複数の患者情報に対応する医用画像を同時に外部に出力し、又は同一メディアに書き込む処理を行う。
【００４７】
このように、一括出力モードでは、互いに異なる複数の患者の患者情報を選択可能に表示し、この点で上述した検索モードと異なる。
このときの処理については、図４において後述する。
【００４８】
制御部４１は、閲覧画面を検索モードに切り替える操作信号を受信しない場合（ステップＳ５；ＮＯ）、表示切替処理を終了する。
【００４９】
図４を参照して、一括出力モードの閲覧画面で行う各種処理について説明する。
なお、以下に説明する処理は、一括出力モードで閲覧画面が表示部４３に表示されていることを前提とする。
【００５０】
制御部４１は、操作部４４から出力される操作信号を受信すると、受信した操作信号に医用画像を表示する指示が含まれるか否か判断する（ステップＳ１１）。
【００５１】
医用画像を表示する指示が含まれる場合（ステップＳ１１；ＹＥＳ）、制御部４１は、選択された一又は複数の患者情報に対応した医用画像を同時に表示部４３に表示させる（ステップＳ１２）。
【００５２】
医用画像を表示する指示情報が含まれない場合（ステップＳ１１；ＮＯ）、制御部４１は、受信した操作信号に医用画像を外部出力する指示が含まれるか否か判断する（ステップＳ１３）。
【００５３】
医用画像を外部出力する指示が含まれる場合（ステップＳ１３；ＹＥＳ）、制御部４１は、閲覧画面に重畳して送信先ダイアログを表示部４３に表示させる（ステップＳ１４）。
なお、制御部４１は、送信先を選択可能にして送信先ダイアログを表示部４３に表示させる。また、送信を指示するための送信ボタンも送信先ダイアログ上に表示させる。この送信先ダイアログについては、図７Ａにおいて後述する。
【００５４】
制御部４１は、送信を指示する操作信号を受信すると（ステップＳ１５；ＹＥＳ）、ネットワークＮを介して、選択された一又は複数の患者情報に対応した医用画像を通信部４５に同時に送信させる（ステップＳ１６）。
【００５５】
医用画像を外部出力する指示が含まれない場合（ステップＳ１３；ＮＯ）、制御部４１は、受信した操作信号に医用画像をメディアに書き込む指示が含まれるか否か判断する（ステップＳ１７）。
【００５６】
医用画像をメディアに書き込む指示が含まれる場合（ステップＳ１７；ＹＥＳ）、制御部４１は、閲覧画面に重畳して書込先ダイアログを表示部４３に表示させる（ステップＳ１８）。
なお、制御部４１は、書込先及びデータ形式を選択可能にして書込先ダイアログを表示部４３に表示させる。また、書き込みを指示するための書込ボタンも書込先ダイアログ上に表示させる。この書込先ダイアログについては、図７Ｂにおいて後述する。
【００５７】
制御部４１は、書き込みを指示する操作信号を受信すると（ステップＳ１９；ＹＥＳ）、Ｉ／Ｆ部４６を介して、選択された一又は複数の患者情報に対応した医用画像をＣＤ／ＤＶＤドライブ４７により同一メディアに書き込ませる（ステップＳ２０）。
【００５８】
制御部４１は、上述の表示指示、外部出力指示、メディア書込指示のうち、何れかの指示を含む操作信号を受信しない場合（ステップＳ１１、Ｓ１３、Ｓ１７；ＮＯ）、一括出力処理を終了する。
【００５９】
図５に、検索モードによる閲覧画面の一例を示す。
検索モードによる閲覧画面Ｄ１は、領域Ｒ１及び領域Ｒ２を備えて構成される。
【００６０】
領域Ｒ１には、領域Ｒ２において選択されたある一人の患者の患者情報が詳細に表示される。図５に示すように、例えば患者の患者ＩＤ、氏名、性別、生年月日等が表示される。また、領域Ｒ１には、医用画像表示ボタンＢ１が表示される。
【００６１】
医用画像表示ボタンＢ１が操作部４４を介して押下されると、領域Ｒ１に表示されていた患者情報に対応する医用画像が閲覧画面Ｄ１に表示される。
【００６２】
領域Ｒ２には、一又は複数の患者情報がリスト表示される。リスト表示される患者情報は、記憶部４２に記憶されている患者情報の全部又は一部である。
【００６３】
領域Ｒ２においてリスト表示された患者情報のうち、ある一人の患者の患者情報が選択されると、選択された患者情報がその他の患者情報と識別して表示される。なお、領域Ｒ２において選択可能な患者情報は１つだけである。
また、領域Ｒ２には、一括出力ボタンＢ２が表示される。
【００６４】
一括出力ボタンＢ２が操作部４４を介して押下されると、後述する図６に示すように、一括出力モードでの閲覧画面が表示部４３に表示される。
【００６５】
図６に、一括出力モードによる閲覧画面の一例を示す。
一括出力モードによる閲覧画面Ｄ２は、領域Ｒ３を備えて構成される。なお、領域Ｒ３の基本的な表示構成は、図５に示した領域Ｒ２と同様である。以下、領域Ｒ２と異なる表示内容について説明する。
【００６６】
領域Ｒ３には、一又は複数の患者情報がリスト表示される。また、リスト表示された患者情報のうち、一又は複数の患者情報が選択されると、選択された患者情報がその他の患者情報と識別して表示される。
【００６７】
領域Ｒ３において、選択可能な患者情報は１つに限られず、複数の患者情報を選択することが可能である。
また、領域Ｒ３には、ホスト出力ボタンＢ３、メディア出力ボタンＢ４、検索モードボタンＢ５が表示される。
【００６８】
ホスト出力ボタンＢ３が操作部４４を介して押下されると、後述する図７Ａに示す送信先ダイアログが閲覧画面Ｄ２に重畳して表示される。
また、メディア出力ボタンＢ４が押下された場合も同様に、後述する図７Ｂに示す書込先ダイアログが閲覧画面Ｄ２に重畳して表示される。
また、検索モードボタンＢ５が押下されると、上述した検索モードの閲覧画面Ｄ１に切り替わる。
【００６９】
図７Ａに、閲覧画面Ｄ２に重畳して表示される送信先ダイアログＤ３を示す。
送信先ダイアログＤ３は、領域Ｒ４、送信先選択ボタンＢ６及び送信ボタンＢ７等を備えて構成される。
【００７０】
領域Ｒ４には、外部装置に送信する医用画像の種類や枚数等が表示される。図７Ａにおいて、外部装置に送信する医用画像は、ＣＲ画像が１０枚とＵＳ画像（超音波画像）が３枚である。
【００７１】
送信先選択ボタンＢ６は、医用画像の送信先となる外部装置を選択するためのボタンである。送信先の外部装置には、例えば汎用ＰＣやプリンター、その他医用画像を閲覧可能に表示する装置がある。
【００７２】
送信ボタンＢ７は、送信先選択ボタンＢ６で選択された送信先に医用画像を送信するためのボタンである。送信ボタンＢ７が操作部４４を介して押下されると、医用画像が送信される。
【００７３】
図７Ｂに、閲覧画面Ｄ２に重畳して表示される書込先ダイアログＤ４を示す。
書込先ダイアログＤ４は、領域Ｒ４、領域Ｒ５、領域Ｒ６、書込ボタンＢ８等を備えて構成される。
【００７４】
領域Ｒ４には、図７Ａにおいて上述したものと同様に、メディアに書き込まれる医用画像の種類や枚数等が表示される。
【００７５】
領域Ｒ５には、通常ＣＤ／ＤＶＤドライブ４７のアドレスが表示される。２以上のＣＤ／ＤＶＤドライブ４７（例えば４７ａ、４７ｂ）がＩ／Ｆ部４６を介して接続されているような場合には、何れか一方のアドレスが表示される。操作部４４を介して他方のアドレスが入力されると入力して表示される他方のアドレスに医用画像が出力されることとなる。
【００７６】
領域Ｒ５には、メディアに書き込む医用画像のデータ形式が表示される。データ形式には、例えばＰＤＩ（Portable Data for Imaging）がある。ＰＤＩとは、医療分野におけるメディアのデータ交換規約である。ＰＤＩは、互換性に優れるため、閲覧可能な外部装置で簡易にメディアに記録された医用画像を閲覧表示することができる。
【００７７】
書込ボタンＢ８は、指定された書込先及びデータ形式により、メディアに医用画像を書き込むためのボタンである。書込ボタンＢ８が操作部４４を介して押下されると、医用画像がメディアに書き込まれる。
【００７８】
以上のように、本実施形態によれば、互いに異なる複数の患者情報に対応する複数の医用画像を同時に表示部４３に表示することができる。よって、医師は、患者の医用画像を同時にモニタ上に表示して効率的な画像診断を行うことができる。
【００７９】
また、互いに異なる医用画像を同時に表示させることを可能とするには、小規模医療施設における運用に限ってもよい。これにより、誤診防止を図るとともに効率的に診断を行うことができる。
【００８０】
また、互いに異なる患者情報に対応する複数の医用画像を同時に通信部４５により外部装置に送信することができる。よって、送信に費やす作業時間を軽減させ、医用画像システムにおける一連のフローを円滑化することができる。
【００８１】
また、互いに異なる患者情報に対応する複数の医用画像をＣＤ／ＤＶＤドライブ４７により同一のメディアに書き込むことができる。よって、患者ごとにメディアを分けて使用する場合に比べてメディアに係る費用の軽減を図り、一括管理することも可能となる。
【００８２】
また、互いに異なる患者情報に対応する複数の医用画像を同時に処理するか否かについて、操作部４４を介して指示することができる。このように同時に処理する／しないを切り替え可能とすることにより、医師のニーズに簡易に対応することができる。例えば、患者が多数来院する日や数人程度しか来院しない日がある場合、日によって表示形式を切り替えることができるため、誤診防止及び迅速な診断を図ることができる。
【図面の簡単な説明】
【００８３】
【図１】医用画像システムの全体構成図である。
【図２】医用画像管理装置の内部構成図である。
【図３】表示切替処理を示すフロー図である。
【図４】一括出力モードの閲覧画面で行う各種処理を示すフロー図である。
【図５】検索モードの閲覧画面図である。
【図６】一括出力モードの閲覧画面図である。
【図７Ａ】送信先ダイアログを示す図である。
【図７Ｂ】書込先ダイアログを示す図である。
【符号の説明】
【００８４】
１００  医用画像システム
１      受付装置
２      モダリティ
３      検査装置
４      医用画像管理装置
４１    制御部
４２    記憶部
４３    表示部
４４    操作部
４５    通信部
４６    Ｉ／Ｆ部
４７    ＣＤ／ＤＶＤドライブ
【図１】
2009189550.tif 000003
【図２】
2009189550.tif 000004
【図３】
2009189550.tif 000005
【図４】
2009189550.tif 000006
【図５】
2009189550.tif 000007
【図６】
2009189550.tif 000008
【図７Ａ】
2009189550.tif 000009
【図７Ｂ】
2009189550.tif 000010